(57)【要約】【課題】ハトなどの鳥類の忌避方法には、ネット、光、警報音、電気、止まり木を止まり難い形状にするなどの方法が提案されている。しかし、これらの方法は何れも一長一短があり、マンションなどの高層建築に好適な鳥類の忌避方法ではない。【解決手段】ポリウレタンゲルをシートにした鳥類忌避用粘着シートをベランダの手すりに設置する。ハトがこのシート上に舞い降りると足がポリウレタンゲル層に粘着して拘束される。このときハトは羽を羽ばたかせ、必死で足を粘着層から引き剥がそうとする。ハトはもがきながら足を引き剥がし、最終的に脱出するが、この時の恐怖体験を忘れず、再度同じベランダの手すりに近づくことは無く、結果的にハトを忌避できる。【選択図】図２
2015043696.tif 000002
【特許請求の範囲】
【請求項１】
表面の引き剥がし粘着力が、１．５〜１２．０Ｎ/２４ｍｍ（ＪＩＳ  Ｚ０２３７）であることを特徴とする鳥類忌避用粘着シート。
【請求項２】
前記鳥類忌避用粘着シートがポリオールとポリイソシアネートとを反応して得られるポリウレタンゲルであることを特徴とする請求項１に記載の鳥類忌避用粘着シート。
【請求項３】
前記鳥類忌避用粘着シートの片面が非粘着性シートと貼り合わされていることを特徴とする請求項１または２の何れか１項に記載の鳥類忌避用粘着シート。
【請求項４】
前記鳥類忌避用粘着シートの粘着面を上面とし、目印物と並置してベランダの手すりの上面に設置して鳥類を忌避する方法であって、前記目印物が有色または無色のテープまたはシートまたは板の何れかであることを特徴とする鳥類忌避方法。
【発明の詳細な説明】
【技術分野】
【０００１】
ハト等の鳥類が建築物に飛来すると、建築物に糞や羽等を落として汚染する。本発明は、この汚染を防止するための鳥類が建築物に侵入するのを防止する物、および侵入を防止する方法に関する。
【背景技術】
【０００２】
ハトは人間の生活に密着した鳥で、人間に与えられた餌や、人が道に落とした食べ物や、公園の草木の種子と花芽を餌としており、寝場所や巣も人間が建てた建築物を住処としている。
ハトが人間社会に深く関わりをもつのは、人との長い共存関係があるためではあるが、近年、アパートやマンションではハトの糞による公害が社会問題になっている。
ハトの糞による公害には、 悪臭を放つ、フンの汚れにより美観を損ねる、ダニやゴキブリなどの害虫の発生源となる、アレルギー物質や寄生虫・病原菌を媒介する、フンに含まれる酸成分により金属が腐食されるなどがある。
【０００３】
特許文献１には、ハトなどの鳥類が屋根、高架道路、ベランダなどに止まるのを忌避する方法として、幅３ｍｍ以下のテープを３〜１０ｃｍ間隔でハトの止まりそうな場所に設置する発明や、鳥類の嫌う臭気を発する塗料を塗布する発明、粘着性を有する塗料を塗布する発明などが開示されている。
【０００４】
特許文献２には、ｎ−ヘキシルアルデヒド，ヘプタナール，オクタナール，ノナナール，デカナール，ウンデカナール，ドデカナール，γ−ウンデカラクトン，メチルフェニルグリシッド酸エチル及びγ−ノナラクトンよりなる群より選ばれたアルデヒドＣの別名で流通している香料の中の少なくとも１種の香料を有効成分とする発明が開示されている。有効成分である香料を２．５重量％以上含有させたものが、ハト，カラスに対して強力な忌避作用を有することを見出し、香料をそのまま忌避剤として使用した発明である。
【０００５】
特許文献３には、揮発性動物忌避剤である含硫テルペンまたはＳ及びＯを環員とする６〜８員へテロ環化合物を有効成分とする動物忌避粘着シートの発明が開示されている。この発明では揮発性動物忌避剤に加えて、香辛物資忌避剤を併用することも有効であるとされている。
【０００６】
特許文献４には、ベランダ天井部とベランダ下部外壁との間にわたって上下方向に一定間隔毎に複数の糸を架け渡し、ハト等の鳥類がベランダに飛来侵入しないようにするための鳥類ベランダ侵入防止装置の発明が開示されている。本発明は、網状のネットに比べ閉塞感が緩和され、アパートやマンションなどの景観を損なわないとしている。
【先行技術文献】
【特許文献】
【０００７】
【特許文献１】特開昭６０−６１５１
【特許文献２】特開平０５−０７０３０５
【特許文献３】特開２０００−２５６１０５
【特許文献４】特開２０００−３００１４８
【発明の概要】
【発明が解決しようとする課題】
【０００８】
ハトなどの鳥類の忌避方法としては、先行技術で述べたハトが飛来する場所を、ハトの止まり難い形状にする、臭気、ネット（糸）を設置する、などの方法以外にも、光、音（警報音）、電気などで忌避する方法が知られている。しかし、これらの忌避方法には何れも一長一短があって、マンションなどの高層建築に適用できる忌避方法としては好適なものがない。
【０００９】
ハトは非常に慎重に行動する鳥で、目的場所へ行く場合、一旦目的場所の手前で安全確認を行う。例えば行きたいベランダがある場合、まずベランダが見える反対側の建物の屋上や電線の上などで様子を観察し、次いでベランダの手すりに舞い降りてベランダの安全を確認する。この時、目的とするベランダに直接向かうのでなく、まず隣のベランダの手すりに舞い降り、手すりを横歩きして目的のベランダに行くこともある。目的のベランダが安全であることを確認すると、ハトはそこを寝床や巣として住み着く。本発明は、ハトが住み着こうと安全確認する最初の段階で、ハトを忌避する発明であり、美感を損なわず、臭い、音、光、電気なども使用せず、居住する人にやさしいハト等の鳥類の忌避方法を提供する。
【課題を解決するための手段】
【００１０】
請求項１に記載の発明は、ＪＩＳ規格Ｚ０２３７「粘着テープ・粘着シート試験法」に定められた接着力評価試験で測定される粘着力が１．５〜１２．０Ｎ/２４ｍｍである粘着剤を使用して作成される鳥類忌避用粘着シートである。
この粘着シート上にハトが両足で舞い降りると、ハトの両足は粘着剤に補足され容易には動けない。この時ハトは著しい恐怖に駆られ、脱出しようと必死でもがく。このとき、
粘着シート材料の粘着力が１．５〜１２．０Ｎ/２４ｍｍであれば、ハトは自力で脱出できる。本発明はハトが止まった時、ハトの足を粘着剤で拘束し、ハトを死に至らしめることなく、あたかも拘束されてしまうかの恐怖心をいだかせる効果がある。
【００１１】
請求項２に記載の発明は、鳥類忌避用粘着シートの粘着性を有する材料をポリオールとポリイソシアネートとを反応して得られるポリウレタンゲルとする発明である。粘着層にこの材料を使用することで、初期の粘着力に加え、屋外での長期間使用に耐える耐候性を備えた鳥類忌避用粘着シートとすることができる。
【００１２】
請求項３に記載の発明は、粘着シートの片面に非粘着性シートが貼り合わされた鳥類忌避用粘着シートである。これにより、粘着シートの取り扱い操作が容易になり、ベランダの手すりなどに粘着シートを設置する設置作業が容易になる。
【００１３】
請求項４に記載の発明は、鳥類忌避用粘着シートの設置方法の発明で、粘着面を上面としてベランダの手すりの上面に設置する。また、このとき鳥類忌避用粘着シートに並置して目印物を並置する。目印物は視覚的に認識され易い色彩、形状であれば適宜の大きさのテープ、シート、板でよい。この方法により、ハトがベランダに侵入しようとして手すりに舞い降りるとき、ハトに目印物を視認させながら、粘着シート上に止まらせることができる。また、隣のベランダの手すり伝いに侵入するハトについても、目印物を視認させながら粘着シート材を踏ませることができる。粘着シート材上に足を置いたハトは、足を粘着シートに拘束されるので、ハトは粘着シートから脱出しようと必死にもがく。足を補足され必死に脱出しようとするハトの恐怖体験は、目印物と一体に記憶されるので、一度、恐怖体験したハトは、目印物を視認しただけでこれを忌避する行動を採るようになる。
【発明の効果】
【００１４】
鳥類忌避用粘着シートは屋外の手すりなどに設置されるので、酷暑、厳寒などの気温変化、直射日光や風雨、大気中のほこりなどにさらされても、所定期間所定の粘着力が保持されなければならない。本発明のポリオールとポリイソシアネートとを反応して得られるポリウレタンゲルは、この要求を十分満たす材料である。このポリウレタンゲルを用いることで、美観を損なわず、臭い、音、光、電気なども使用しない簡便な方法でハトに恐怖心を与えハトを忌避する方法の実用化ができた。
また、ハトは集団で行動する鳥であるので、集団の中の１羽が恐怖体験をして仲間に警告を発すると、集団全体が警戒して危険場所には接近しない。
本発明では、集団の中の１羽のハトに鳥類忌避用粘着シートに拘束される体験をさせることで、群れ全体を忌避することができる。
また、鳥類忌避用粘着シートと目印物とを並置することで、目印物の設置領域全体を鳥類忌避領域とする効果があるので、目印物に無色または有色の安価なテーブ、シート、板などを用いることで、低コストで拡大させた領域を鳥類忌避領域とすることができる。
更に、ベランダの手すりは住人が日常の生活で利用する建築物の一部であるが、鳥類忌避用粘着シートの設置はこの利用を制限する。しかし、目印物の表面は粘着性が不要で、住人の利用の障害にはならない。従って、目印物を並置する方法は低コストと、ベランダの利用制限領域を極小にする効果を併せ有する。
【図面の簡単な説明】
【００１５】
【図１】鳥類忌避用粘着シートの構成
【図２】鳥類忌避用粘着シートの手すりへの固定方法
【図３】粘着シート上へのハトの飛来
【図４】目印テープと鳥類忌避用粘着シートの並置状況
【発明を実施するための形態】
【００１６】
＜ポリウレタンゲルの製作＞
鳥類忌避用粘着シートの主構成材料であるポリウレタンゲルの製造に用いるポリオールとポリイソシアネートについて、最初ポリオールについて、次いでポリイソシアネートについて説明する。
まずポリオールについて説明する。
ポリオールは１つの分子に２個以上の水酸基を有する化合物である。ウレタンゲル原料として一般に使用されるものであれば使用は可能であるが、本実施例では屋外で雨にさらされての使用を考慮し、耐加水分解性に優れるポリエーテルポリオールを選定した。また、柔軟性を付与し、粘着力を発現させるために、ポリエーテルポリオールに1官能のアルコール(モノオール)を添加することも出来る。モノオールを添加することで、架橋密度を低下させ、ウレタンゲルに柔軟性を付与することが出来る。
ポリエーテルポリオールとしては、エチレングリコール、プロピレングリコール、ジエチレングリコール、グリセリン、トリメチロールプロパン、ソルビトール等の多価アルコールに、エチレンオキサイド、プロピレンオキサイド、トリメチレンオキサイド、ブチレンオキサイド等のオキサイドを付加重合させたものでよい。本実施例では、エチレングリコールと、プロピレングリコールの２種類をブレンドしたものにエチレンオキサイドを付加重合させたポリエーテルポリオールを使用した。
【００１７】
また、柔軟性を付与し、粘着力を発現させるために、１官能のアルコール（モノオール）を添加する場合、モノオールの添加により架橋密度を低下させ、ウレタンゲルに柔軟性を付与させることができる。このモノオールには、直鎖モノオール（メタノール、エタノール、プロパノール、ブタノールなど）、分岐鎖モノオール（イソプロピルアルコール、ネオペンチルアルコールなど）、芳香族モノオール（ベンジルアルコールなど）、脂環族モノオール（シクロヘキサノールなど）があり、高分子量のモノオールには、ポリエステルモノオール、ポリエーテルモノオール、ポリエーテルエステルモノオールがある。今回は屋外での使用を考慮し、耐加水分解性に優れるポリエーテルモノオールを用いた。
【００１８】
なお、ポリオールとしては、ポリエステルポリオールであってもよい。
ポリエステルポリオールは、多価アルコールと多価カルボン酸との縮合反応により得られる。このうち、多価アルコールには、エチレングリコール、プロピレングリコール、ブタンジオール、ブチレングリコール、グリセリン、トリメチロールプロパン等があり、これらを１種または２種以上ブレンドしてもよく、更に、カプロラクトン、メチルバレロラクトン等を開環縮合して得られるポリエステルポリオールを用いてもよい。
また、多価カルボン酸としては、グルタル酸、アジピン酸、マレイン酸、テレフタル酸、イソフタル酸等があり、これらを１種または２種以上ブレンドしてもよい。
【００１９】
次にイソシアネートについて説明する。
イソシアネートは、１つの分子に１個以上のイソシアネート基を有する化合物であり、ウレタンゲル原料として通常使用される芳香族イソシアネート、脂肪族イソシアネート、脂環族イソシアネートなどを用いる。芳香族イソシアネートにはトリレンジイソシアネート（ＴＤＩ）、４，４‘−ジフェニルメタンジイソシアネート（ＭＤＩ）、ポリメリックＭＤＩ（クルードＭＤＩ）、キシリレンジイソシアネート、１，５−ナフタレンジイソシアネートがあり。脂肪族イソシアネートには、ヘキサメチレンジイソシアネート、イソプロピレンジイソシアネート、メチレンジイソシアネート等がある。また、脂環族イソシアネートには、シクロヘキサン−１，４−ジイソシアネート、イソホロンジイソシアネート、水添ＭＤＩ等がある。
今回は、屋外での使用でも紫外線で黄変しにくい脂肪族や、脂環族イソシアネートのうち脂肪族イソシアネートを使用した。
なお、ポリウレタンゲルには酸化防止剤や紫外線吸収剤などの添加剤を添加させてもよい。
【００２０】
次にハトの忌避試験に用いたポリウレタンゲルの物性について説明する。
粘着力、耐光性、耐熱性の試験結果は次の通りであった。
（１）粘着力：ＪＩＳ  Ｚ０２３７粘着テープ・粘着シート試験方法-ステンレス試験板試験で１．５〜１２．０Ｎ／２４ｍｍ
引きはがし粘着力試験の引きはがし角度：１８０°（試験温度：２３℃)
（２）耐光性：ＪＩＳ Ｂ ７７５１ 紫外線カーボンアーク灯式の耐光性試験機及び耐候性試験機に準じた方法で１００時間照射した際のＹＩ値（黄色度）の変化が１５以下。
（３）耐湿熱性：７０℃・湿度９５％に２００時間放置し、液化、ひび割れのないことを確認。
【００２１】
なお、本ポリウレタンゲルの特徴として次を挙げることができる。
ａ）素材自体が粘着力を持つため、手すり等に容易に固定する事が出来る。
ｂ）剥がした際に糊の残渣が無いため、再剥離、再貼り付けが可能で、繰返し使用ができる。
ｃ）埃、ゴミ等が付着して粘着力が低下しても、水洗することで粘着力が回復し、長期間使用することが出来る。
ｄ）シート(フィルム)形状で、黄変もしにくいため、ベランダ等の手すりに貼っても目立たず、外観を損なわない。
【００２２】
＜鳥類忌避用粘着シートの製作＞
鳥類忌避用粘着シートとしては、ポリウレタンゲルをシートにしたもので十分機能を果たすが、粘着層のみでは、ハンドリング時、接触するもの全てに接着し取扱いが困難である。
図１に裏面に非粘着性シートを貼り合わせた鳥類忌避用粘着シートの断面を示す。
鳥類忌避用粘着シート１０は、粘着層のポリウレタンゲル１１の片面に裏打フィルム１２が貼り付けられたものである。裏打フィルム１２の材質はポリエステルフィルム、ポリカーボネイトフィルムなどのフィルムであれば何ら問題ないが、フィルム以外の不織布、紙、織物などであってもよい。この非粘着性シートを貼り合わせる構成により、シートのハンドリング性は格段に増す。
【００２３】
＜鳥類忌避用粘着シートの設置＞
図２はベランダの手すり１４に鳥類忌避用粘着シート１０を設置した状態を示す。
鳥類忌避用粘着シート１０のサイズは１００ｍｍ×１２０ｍｍ、厚さ３ｍｍで、図１に示す裏打フィルム１２で裏打ちされた粘着シートを使用している。手すりへの固定にはＰＥＴ基材の結束ヒモ１５を用いたが、結束バンドや片面粘着テープを用いてもよい。
なお、ポリウレタンゲルをシートにしたものは、直接手すりに接着できるので、結束ヒモ１５は不要である。
【００２４】
図３は、ハト２０がベランダ１３の手すり１４上に設置された鳥類忌避用粘着シート１０を警戒することなく、このシート上に舞い降りた状況を示す。ハト２０はこの後、手すり上を跳ねて横移動する動作や、飛び立つ動作に移ろうとするが、足がポリウレタンゲル１１層に粘着、拘束されて身動きできない。このときハトは羽を羽ばたかせ、必死で足を粘着層から引き剥がそうとする。ハトの羽が粘着層に触れると、粘着層に接着した羽がむしり取られる。ハトは必死にもがきながら足を粘着層引き剥がし、最終的に鳥類忌避用粘着シート１０から脱出する。この時の恐怖心をハトは決して忘れることは無く、再度同じベランダの手すりに近づくことは無い。
【００２５】
＜鳥類忌避用粘着シートの設置実験＞
１５階建てマンション９階のベランダの手すりの異なる２箇所に、接着力１．５Ｎ／２４ｍｍと、接着力１２．０Ｎ／２４ｍｍの２種類の鳥類忌避用粘着シート１０を、図４に示すように設置した。使用した図４の手すりの断面形状は長方形であるが、本実験のベランダの手すりの断面形状は円形である。また、手すり１４には幅１５ｍｍのオレンジ色の目印テープ１６を８０ｍｍ間隔で螺旋状に巻き、この上に１００ｍｍ×１２０ｍｍ、厚さ３ｍｍの鳥類忌避粘着シート１０を貼った。鳥類忌避粘着シート１０の両端は位置ズレしないよう結束ヒモ１５で固定した。設置は７月〜４月までの約１０月間行った。設置約２５日後、接着力１２．０Ｎ／２４ｍｍの鳥類忌避粘着シート１０に多量のハトの羽が付着し、この付近のベランダ上にもハトの羽が落ちているのが確認された。また接着力１．５Ｎ／２４ｍｍの鳥類忌避粘着シート１０についても少量のハトの羽が付着し、ベランダ上にも少量のハトの羽が落ちていた。その後ハトは付近の建物で見かけることはあっても鳥類忌避粘着シート１０を設置したベランダにやって来ることはなかった。また、鳥類忌避粘着シート１０の粘着力も設置後１１月経過後であっても正常な粘着力を維持している。
【００２６】
なお、鳥類忌避粘着シート１０の設置から１１月後、これを撤去し、オレンジ色の目印テープ１６のみとした。その後３月が経過し、現在に至っているがハトが飛来してこることはない。
ハトは非常に警戒心の強い鳥であるので、オレンジ色の目印テープ１６と鳥類忌避粘着シート１０がセットで記憶され、鳥類忌避粘着シート１０が撤去された後もオレンジ色の目印テープ１６の存在を確認しただけで警戒し、近づかないものと思われる。
また、ハトは手すり上を横方向に飛び跳ねて移動する習性があるので、鳥類忌避粘着シート１０はハトが舞い降りそうな１箇所に設置するだけでも十分な忌避効果がある。
【産業上の利用可能性】
【００２７】
本発明の効果はハトについてしか確認を行っていないが、カラスなど人の生活に係って被害を及ぼす鳥や、農作物に害を及ぼすヒヨドリなどでも、これらを死に至らしめることなく忌避できる粘着シートとして有効に活用できる。
【符号の説明】
【００２８】
１０  鳥類忌避粘着シート
１１  ポリウレタンゲル
１２  裏打ちフィルム
１３  ベランダ
１４  手すり
１５  結束ヒモ
１６  目印テープ
２０  ハト
【図１】
2015043696.tif 000003
【図２】
2015043696.tif 000004
【図３】
2015043696.tif 000005
【図４】
2015043696.tif 000006